(57)【要約】  検索結果用インタラクティブ方法及び装置であって、当該方法は、電子機器のユーザーがブラウザーを介して検索結果のインタラクティブ操作を行っていると判定した場合、インタラクティブ操作に基づいて、インタラクティブコマンドを抽出するステップＳ１１と、予め設定された規則に基づいて、インタラクティブコマンドにマッチングするインタラクションガイドステップを生成するステップＳ１２と、ユーザーがインタラクションガイドステップに基づいて、検索結果とインタラクションを行うように、インタラクションガイドステップに基づいて、ユーザーをプロンプトするステップＳ１３とを含む。本方法により、ユーザーとリッチメディアである検索結果との多様化のインタラクションを実現し、ユーザーの没入型及びシーン化の体験を効果的に向上させることができる。【選択図】図１
2019516182.tif 000002
【特許請求の範囲】
【請求項１】
検索結果用インタラクティブ方法であって、
前記検索結果がリッチメディアである検索結果であり、
電子機器のユーザーがブラウザーを介して前記検索結果のインタラクティブ操作を行っていると判定した場合、前記インタラクティブ操作に基づいて、インタラクティブコマンドを抽出するステップと、
予め設定された規則に基づいて、前記インタラクティブコマンドにマッチングするインタラクションガイドステップを生成するステップと、
前記ユーザーが前記インタラクションガイドステップに基づいて、前記検索結果とインタラクションを行うように、前記インタラクションガイドステップに基づいて、前記ユーザーにプロンプトするステップとを含む検索結果用インタラクティブ方法。
【請求項２】
前記電子機器の前記ユーザーが前記ブラウザーを介して前記検索結果の前記インタラクティブ操作を行っていると判定したステップは、前記電子機器の前記ユーザーが前記ブラウザーを介して前記検索結果の予め設定された標識をトリガーすることを検出した場合に、前記ユーザーが前記ブラウザーを介して前記検索結果の前記インタラクティブ操作を行っていると判定するステップを含む請求項１に記載の検索結果用インタラクティブ方法。
【請求項３】
予め設定された前記標識が、前記電子機器のカメラをオンにするための第１の標識を有し、
前記インタラクティブコマンドが、前記第１の標識をトリガーするコマンドを含む場合、前記カメラにより前記ユーザーの画像データを収集し、該画像データを検索結果ページに表示するステップをさらに含む請求項２に記載の検索結果用インタラクティブ方法。
【請求項４】
予め設定された前記標識が、前記電子機器のマイクロフォンをオンにするための第２の標識をさらに有し、
前記インタラクティブコマンドが、前記第２の標識をトリガーするコマンドを含む場合、前記マイクロフォンにより前記ユーザーの音声データを収集するステップをさらに含む請求項２に記載の検索結果用インタラクティブ方法。
【請求項５】
前記ユーザーが前記検索結果ページにおいて前記インタラクションガイドステップをトリガーするコマンドを受信するステップと、
前記ユーザーが前記インタラクションガイドステップに基づいて、前記検索結果とインタラクションを行うように、前記インタラクションガイドステップをトリガーするコマンドに基づいて、前記インタラクションガイドステップを実行するステップとをさらに含む請求項１に記載の検索結果用インタラクティブ方法。
【請求項６】
前記ユーザーが入力した前記検索結果の配置情報を受信し、該配置情報に基づいて、前記検索結果を配置するステップをさらに含む請求項１に記載の検索結果用インタラクティブ方法。
【請求項７】
検索結果用インタラクティブ方法であって、
前記検索結果がリッチメディアである検索結果であり、
電子機器のユーザーがブラウザーを介して前記検索結果のインタラクティブ操作を行っていると判定した場合、前記インタラクティブ操作に基づいて、インタラクティブコマンドを抽出するステップと、
前記インタラクティブコマンドにマッチングする前記検索結果の関連データを読み取り、該関連データを前記ユーザーにプロンプトするステップとを含む検索結果用インタラクティブ方法。
【請求項８】
前記インタラクティブコマンドにマッチングする前記検索結果の前記関連データを読み取る前に、前記検索結果ページに前記検索結果の前記関連データを表示しないステップをさらに含む請求項７に記載の検索結果用インタラクティブ方法。
【請求項９】
前記ユーザーが入力した前記検索結果の配置情報を受信し、該配置情報に基づいて、前記検索結果を配置するステップをさらに含む請求項７に記載の検索結果用インタラクティブ方法。
【請求項１０】
検索結果用インタラクティブ装置であって、
前記検索結果がリッチメディアである検索結果であり、
電子機器のユーザーがブラウザーを介して前記検索結果のインタラクティブ操作を行っていると判定した場合、前記インタラクティブ操作に基づいて、インタラクティブコマンドを抽出するように構成される第１の抽出モジュールと、
予め設定された規則に基づいて、前記インタラクティブコマンドにマッチングするインタラクションガイドステップを生成するように構成される生成モジュールと、
前記ユーザが前記インタラクションガイドステップに基づいて、前記検索結果とインタラクションを行うように、前記インタラクションガイドステップに基づいて、前記ユーザーにプロンプトするように構成されるプロンプトモジュールとを備える検索結果用インタラクティブ装置。
【請求項１１】
前記第１の抽出モジュールは、前記電子機器の前記ユーザーが前記ブラウザーを介して前記検索結果の予め設定された標識をトリガーすることを検出した場合、前記ユーザーが前記ブラウザーを介して前記検索結果のインタラクティブ操作を行っていると判定する請求項１０に記載の検索結果用インタラクティブ装置。
【請求項１２】
予め設定された前記標識が、前記電子機器のカメラをオンにするための第１の標識を有し、
前記インタラクティブコマンドが、前記第１の標識をトリガーするコマンドを含む場合、前記カメラにより前記ユーザーの画像データを収集し、該画像データを検索結果ページに表示するように構成される収集モジュールをさらに備える請求項１１に記載の検索結果用インタラクティブ装置。
【請求項１３】
予め設定された前記標識が、前記電子機器のマイクロフォンをオンにするための第２の標識をさらに有し、
前記収集モジュールは、前記インタラクティブコマンドが前記第２の標識をトリガーするコマンドを含む場合、前記マイクロフォンにより前記ユーザーの音声データを収集する請求項１１に記載の検索結果用インタラクティブ装置。
【請求項１４】
前記ユーザーが前記検索結果ページにおいて前記インタラクションガイドステップをトリガーするコマンドを受信するように構成される第１の受信モジュールと、
前記ユーザーが前記インタラクションガイドステップに基づいて、前記検索結果とインタラクションを行うように、前記インタラクションガイドステップをトリガーするコマンドに基づいて、前記インタラクションガイドステップを実行するように構成される実行モジュールとをさらに備える請求項１０に記載の検索結果用インタラクティブ装置。
【請求項１５】
前記ユーザーが入力した前記検索結果の配置情報を受信し、該配置情報に基づいて、前記検索結果を配置するように構成される第２の受信モジュールをさらに備える請求項１０に記載の検索結果用インタラクティブ装置。
【請求項１６】
検索結果用インタラクティブ装置であって、
前記検索結果がリッチメディアである検索結果であり、
電子機器のユーザーがブラウザーを介して前記検索結果のインタラクティブ操作を行っていると判定した場合、前記インタラクティブ操作に基づいて、インタラクティブコマンドを抽出するように構成される第２の抽出モジュールと、
前記インタラクティブコマンドにマッチングする前記検索結果の関連データを読み取り、該関連データを前記ユーザーにプロンプトするように構成される読み取りモジュールとを備える検索結果用インタラクティブ装置。
【請求項１７】
前記インタラクティブコマンドにマッチングする前記検索結果の前記関連データを読み取る前に、前記検索結果ページに前記検索結果の前記関連データを表示しないように構成される表示モジュールをさらに備える請求項１６に記載の検索結果用インタラクティブ方法。
【請求項１８】
前記ユーザーが入力した前記検索結果の配置情報を受信し、該配置情報に基づいて、前記検索結果を配置するように構成される第３の受信モジュールをさらに備える求項１６に記載の検索結果用インタラクティブ方法。
【発明の詳細な説明】
【優先権情報】
【０００１】
本出願は、百度在綫网絡技術（北京）有限公司によって２０１６年７月２５日に中国特許庁に提出され、特許出願番号が２０１６１０５９１９２１.９であり、発明の名称が「検索結果用インタラクティブ方法及び装置」である中国特許出願の優先権を主張するものであり、その全コンテンツは参照により本出願に組み入れられる。
【技術分野】
【０００２】
本発明は、検索エンジン技術分野に関し、特に検索結果用インタラクティブ方法及び装置に関する。
【背景技術】
【０００３】
ユーザーが電子機器におけるブラウザーを利用して関連情報を検索する場合、検索ページで没入型及びシーン化の体験を実現してほしいというニーズがある。例えば、ユーザーは、閲覧や、聴取、タッチ、スワイプ、ズーム、口述又は撮影などの複数の種類のインタラクティブ方式で検索結果との多様化のインタラクションを実現することを望んでいる。
【０００４】
関連技術において、検索結果ページで没入型及びシーン化の体験を実現するものはない。
【発明の概要】
【発明が解決しようとする課題】
【０００５】
これに鑑みて、本発明は、ユーザーとリッチメディア（Ｒｉｃｈ  Ｍｅｄｉａ）である検索結果との多様化のインタラクションを実現して、ユーザーの没入型及びシーン化の体験を効果的に向上させることができる検索結果用インタラクティブ方法及び装置を提供する。
【課題を解決するための手段】
【０００６】
上記目的を達成するために、本発明は、以下のような技術案を採用する。
【０００７】
本発明の第１の態様として、検索結果用インタラクティブ方法であって、前記検索結果がリッチメディアである検索結果であり、電子機器のユーザーがブラウザーを介して前記検索結果のインタラクティブ操作を行っていると判定した場合、前記インタラクティブ操作に基づいて、インタラクティブコマンドを抽出するステップと、予め設定された規則に基づいて、前記インタラクティブコマンドにマッチングするインタラクションガイドステップを生成するステップと、前記ユーザーが前記インタラクションガイドステップに基づいて、前記検索結果とインタラクションを行うように、前記インタラクションガイドステップに基づいて、前記ユーザーをプロンプトするステップとを含む検索結果用インタラクティブ方法を提供する。
【０００８】
好ましくは、前記電子機器の前記ユーザーが前記ブラウザーを介して前記検索結果の前記インタラクティブ操作を行っていると判定するステップは、前記電子機器の前記ユーザーが前記ブラウザーを介して前記検索結果の予め設定された標識をトリガーすることを検出する場合に、前記ユーザーが前記ブラウザーを介して前記検索結果の前記インタラクティブ操作を行っていると判定するステップを含む。
【０００９】
好ましくは、予め設定された前記標識が、前記電子機器のカメラをオンにするための第１の標識を有し、前記インタラクティブコマンドが、前記第１の標識をトリガーするコマンドを含む場合、前記カメラにより前記ユーザーの画像データを収集し、該画像データを検索結果ページに表示するステップをさらに含む。
【００１０】
好ましくは、予め設定された前記標識が、前記電子機器のマイクロフォンをオンにするための第２の標識をさらに有し、前記インタラクティブコマンドが、前記第２の標識をトリガーするコマンドを含む場合、前記マイクロフォンにより前記ユーザーの音声データを収集するステップをさらに含む。
【００１１】
好ましくは、前記ユーザーが前記検索結果ページに前記インタラクションガイドステップをトリガーするコマンドを受信するステップと、前記ユーザーが前記インタラクションガイドステップに基づいて、前記検索結果とインタラクションを行うように、前記インタラクションガイドステップをトリガーするコマンドに基づいて、前記インタラクションガイドステップを実行するステップとをさらに含む。
【００１２】
好ましくは、前記ユーザーが入力した前記検索結果の配置情報を受信し、該配置情報に基づいて、前記検索結果を配置するステップをさらに含む。
【００１３】
本発明の第２の態様として、検索結果用インタラクティブ方法であって、前記検索結果がリッチメディアである検索結果であり、電子機器のユーザーがブラウザーを介して前記検索結果のインタラクティブ操作を行っていると判定した場合、前記インタラクティブ操作に基づいて、インタラクティブコマンドを抽出するステップと、前記インタラクティブコマンドにマッチングする前記検索結果の関連データを読み取り、該関連データを前記ユーザーにプロンプトするステップとを含む検索結果用インタラクティブ方法を提供する。
【００１４】
好ましくは、前記インタラクティブコマンドにマッチングする前記検索結果の前記関連データを読み取る前に、前記検索結果ページに前記検索結果の前記関連データを表示しないステップをさらに含む。
【００１５】
好ましくは、前記ユーザーが入力した前記検索結果の配置情報を受信し、該配置情報に基づいて、前記検索結果を配置するステップをさらに含む。
【００１６】
本発明の第３の態様として、検索結果用インタラクティブ装置であって、前記検索結果がリッチメディアである検索結果であり、電子機器のユーザーがブラウザーを介して前記検索結果のインタラクティブ操作を行っていると判定した場合、前記インタラクティブ操作に基づいて、インタラクティブコマンドを抽出するように構成される第１の抽出モジュールと、予め設定された規則に基づいて、前記インタラクティブコマンドにマッチングするインタラクションガイドステップを生成するように構成される生成モジュールと、前記ユーザが前記インタラクションガイドステップに基づいて、前記検索結果とインタラクションを行うように、前記インタラクションガイドステップに基づいて、前記ユーザーをプロンプトするように構成される案内モジュールとを備える検索結果用インタラクティブ装置を提供する。
【００１７】
好ましくは、前記第１の抽出モジュールは、前記電子機器の前記ユーザーが前記ブラウザーを介して前記検索結果の予め設定された標識をトリガーすることを検出する場合、前記ユーザーが前記ブラウザーを介して前記検索結果のインタラクティブ操作を行っていると判定するように構成されている。
【００１８】
好ましくは、予め設定された前記標識が、前記電子機器のカメラをオンにするための第１の標識を有し、前記インタラクティブコマンドが、前記第１の標識をトリガーするコマンドを含む場合、前記カメラにより前記ユーザーの画像データを収集し、該画像データを検索結果ページに表示するように構成される収集モジュールをさらに備える。
【００１９】
好ましくは、予め設定された標識が、前記電子機器のマイクロフォンをオンにするための第２の標識をさらに有し、前記収集モジュールは、前記インタラクティブコマンドが、前記第２の標識をトリガーするコマンドを含む場合、前記マイクロフォンにより前記ユーザーの音声データを収集するように構成されている。
【００２０】
好ましくは、前記ユーザーが前記検索結果ページに前記インタラクションガイドステップをトリガーするコマンドを受信するように構成される第１の受信モジュールと、前記ユーザーが前記インタラクションガイドステップに基づいて、前記検索結果とインタラクションを行うように、前記インタラクションガイドステップをトリガーするコマンドに基づいて、前記インタラクションガイドステップを実行するように構成される実行モジュールとをさらに備える。
【００２１】
好ましくは、前記ユーザーが入力した前記検索結果の配置情報を受信し、該配置情報に基づいて、前記検索結果を配置するように構成される第２の受信モジュールをさらに備える。
【００２２】
本発明の第４の態様として、検索結果用インタラクティブ装置であって、前記検索結果がリッチメディアである検索結果であり、電子機器のユーザーがブラウザーを介して前記検索結果のインタラクティブ操作を行っていると判定した場合、前記インタラクティブ操作に基づいて、インタラクティブコマンドを抽出するように構成される第２の抽出モジュールと、前記インタラクティブコマンドにマッチングする前記検索結果の関連データを読み取り、該関連データを前記ユーザーにプロンプトするように構成される読み取りモジュールとを備える検索結果用インタラクティブ装置を提供する。
【００２３】
好ましくは、前記インタラクティブコマンドにマッチングする前記検索結果の前記関連データを読み取る前に、前記検索結果ページに前記検索結果の前記関連データを表示しないように構成される表示モジュールをさらに備える。
【００２４】
好ましくは、前記ユーザーが入力した前記検索結果の配置情報を受信し、該配置情報に基づいて、前記検索結果を配置するように構成される第３の受信モジュールをさらに備える。
【発明の効果】
【００２５】
本発明の一実施形態において提供される検索結果用インタラクティブ方法及び装置は、インタラクションガイドステップに基づいてユーザーにプロンプトすることにより、ユーザーがインタラクションガイドステップに基づいて、リッチメディアである検索結果とインタラクションを行うようにし、ユーザーとリッチメディアである検索結果との多様化のインタラクションを実現し、ユーザーの没入型及びシーン化の体験を効果的に向上させることができる。
【図面の簡単な説明】
【００２６】
本発明の実施形態又は従来技術における技術案をより明確に説明するために、以下、実施形態又は従来技術の説明における用いる必要のある図面について簡単に紹介し、明らかに、以下の説明における図面は、単なる本発明の一部の実施例であり、当業者にとって、創造的労働を貢献しないという前提で、これらの図面に基づいて他の図面をさらに取得することができる。
【００２７】
【図１】本発明の一実施形態において提供される検索結果用インタラクティブ方法の概略フローチャートである。
【図２】本発明の他の実施形態において提供される検索結果用インタラクティブ方法の概略フローチャートである。
【図３】本発明の一実施形態の検索結果ページの概略図である。
【図４】本発明の一実施形態の検索結果ページにおけるモデル配置の概略図である。
【図５】本発明の他の実施形態において提供される検索結果用インタラクティブ方法の概略フローチャートである。
【図６】本発明の他の実施形態において提供される検索結果用インタラクティブ方法の概略フローチャートである。
【図７】本発明の一実施形態においてユーザーがインタラクティブ方式であるスワイプにより検索結果との多様化のインタラクションを実現する概略図である。
【図８】本発明の一実施形態においてユーザーがインタラクティブ方式であるズームにより検索結果との多様化のインタラクションを実現する概略図である。
【図９】本発明の一実施形態における他の検索結果ページの概略図である。
【図１０】本発明の一実施形態においてユーザーがインタラクティブ方式であるタッチにより検索結果との多様化のインタラクションを実現する概略図である。
【図１１】本発明の一実施形態におけるシーン化体験の概略図である。
【図１２】本発明の一実施形態において他のユーザーがインタラクティブ方式であるタッチにより検索結果との多様化のインタラクションを実現する概略図である。
【図１３】本発明の一実施形態において他のユーザーがインタラクティブ方式であるタッチにより検索結果との多様化のインタラクションを実現する概略図である。
【図１４】本発明の他の実施形態において提供される検索結果用インタラクティブ方法の概略フローチャートである。
【図１５】本発明の一実施形態においてユーザーがインタラクティブ方式である閲覧及びクリックにより検索結果との多様化のインタラクションを実現する概略図である。
【図１６】本発明の一実施形態において提供される検索結果用インタラクティブ装置の構造概略図である。
【図１７】本発明の他の実施形態において提供される検索結果用インタラクティブ装置の構造概略図である。
【図１８】本発明の他の実施形態において提供される検索結果用インタラクティブ装置の構造概略図である。
【図１９】本発明の他の実施形態において提供される検索結果用インタラクティブ装置の構造概略図である。
【発明を実施するための形態】
【００２８】
以下、図面を参照して本発明の一実施形態について詳しく説明する。
【００２９】
なお、説明される一実施形態は、単なる本発明の一部の実施例であり、すべての実施例を示すものではない。本発明における実施例に基づいて、当業者が創造的労働を貢献しないという前提で取得した全ての他の実施例は、いずれも本発明の保護範囲に属する。
【００３０】
図１は、本発明の一実施形態において提供される検索結果用インタラクティブ方法の概略フローチャートである。
本実施形態は、検索結果用インタラクティブ方法が検索結果用インタラクティブ装置に配置されることを一例として説明する。検索結果用インタラクティブ方法は、電子機器のブラウザーにおける検索エンジンに適用することができる。
【００３１】
本発明の一実施形態において、検索結果は、リッチメディアである検索結果である。
【００３２】
電子機器は、例えば、パーソナルコンピュータ（Ｐｅｒｓｏｎａｌ  Ｃｏｍｐｕｔｅｒ，ＰＣ）、クラウドデバイス又は例えば、スマートフォンやタブレットなどのモバイルデバイスである。
【００３３】
図１に示されるように、検索結果用インタラクティブ方法は、以下のステップを含む。
【００３４】
ステップＳ１１：電子機器のユーザーがブラウザーを介して検索結果のインタラクティブ操作を行っていると判定した場合、インタラクティブ操作に基づいて、インタラクティブコマンドを抽出する。
【００３５】
好ましくは、ユーザーが検索エンジン（例えば、バイドゥ検索エンジン）の検索ボックスに検索語を入力してもよい。
【００３６】
例えば、ユーザーは、電子機器における検索エンジンの検索ボックスに検索語を入力して、検索語に対応するリッチメディアである検索結果を取得することができる。
【００３７】
本実施形態において、ユーザーは、リッチメディアである検索結果と多様化のインタラクションを行うことができる。
【００３８】
一部の変形例として、図２に示されるように、電子機器のユーザーがブラウザーを介して検索結果のインタラクティブ操作を行っていると判定するステップは、電子機器のユーザーがブラウザーを介して検索結果の予め設定された標識をトリガーすることを検出する場合に、ユーザーがブラウザーを介して検索結果のインタラクティブ操作を行っていると判定するステップＳ２１を含んでいてもよい。
【００３９】
本実施形態において、予め設定された標識は、電子機器のカメラをオンにするための第１の標識を有し、検索結果用インタラクティブ方法は、インタラクティブコマンドが第１の標識をトリガーするコマンドを含む場合、カメラによりユーザーの画像データを収集し、画像データを検索結果ページに表示するステップをさらに含む。例えば、ユーザーは、電子機器における検索エンジンの検索ボックスに検索語を入力して、検索語に対応するリッチメディアである検索結果を取得することができ、電子機器のユーザーがブラウザーを介して検索結果の電子機器のカメラをオンにするための第１の標識をトリガーすることを検出する場合、ユーザーがブラウザーを介して検索結果のインタラクティブ操作を行っていると判定し、カメラによりユーザーの画像データを収集し、画像データを検索結果ページに表示する。この場合、ユーザーがブラウザーを介して検索結果のインタラクティブ操作を行っていると判定して、カメラによりユーザーの画像データを収集し、画像データを検索結果ページに表示し、画像データに基づいて、ユーザーがリッチメディアである検索結果とインタラクションを行うようにし、ユーザー体験を向上させることができる。
【００４０】
一例として、本実施形態における検索結果ページの概略図である図３に示されるように、図３には、検索結果ページが、検索ボックス３１と、検索結果３２と、カメラ３３と、マイクロフォン３４と、モデル表示領域３５とを備え、ユーザーがバイドゥの検索ボックス３１に入力した検索語が「レディースファッション」である場合、検索ページの左側が相応に「レディースファッション」の検索結果３２を表示し、ユーザーが電子機器のカメラ３３をオンにする第１の標識をトリガーする場合、カメラ３３によりユーザーの画像データを収集し、検索結果ページのモデル表示領域３５の実在のモデルに画像データを表示する。例えば、図４に示されるように、ユーザーがカメラ４１によりユーザーの画像データを収集する場合、検索ページの右側のモデル表示領域４２が相応にユーザーの画像データを表示し、ユーザーは、画像データに基づいて、リッチメディアである検索結果とインタラクションを行うことができ、これに限定されないが、例えば、画像データに基づいて、検索結果３２におけるレディースファッションを試着する。
【００４１】
本実施形態において、予め設定された標識は、電子機器のマイクロフォンをオンにするための第２の標識をさらに有し、検索結果用インタラクティブ方法は、インタラクティブコマンドが第２の標識をトリガーするコマンドを含む場合、マイクロフォンによりユーザーの音声データを収集するステップをさらに含む。
【００４２】
例えば、ユーザーは、電子機器における検索エンジンの検索ボックスに検索語を入力して、検索語に対応する検索結果を取得することができ、電子機器のユーザーがブラウザーを介して検索結果の電子機器のマイクロフォンをオンにするための第２の標識をトリガーすることを検出する場合、ユーザーがブラウザーを介して検索結果のインタラクティブ操作を行っていると判定し、マイクロフォンによりユーザーの音声データを収集する。この場合、ユーザーがブラウザーを介して検索結果のインタラクティブ操作を行っていると判定して、マイクロフォンによりユーザーの音声データを収集し、ユーザーが音声データに基づいて、リッチメディアである検索結果とインタラクションを行い、ユーザー体験を向上させることができる。
【００４３】
一例として、図３に示されるように、ユーザーが電子機器のマイクロフォン３４をオンにするための第２の標識をトリガーする場合、マイクロフォン３４によりユーザーの音声データを収集し、インタラクションをトリガーして、ユーザーの音声データに基づいて、検索結果ページのモデル表示領域３５における実在のモデルを配置し、ユーザーは、音声データに基づいて、リッチメディアである検索結果とインタラクションを行うことができ、これに限定されないが、例えば、音声データに基づいて、検索結果３５における実在のモデルを配置する。
【００４４】
好ましくは、電子機器のユーザーがブラウザーを介して検索結果の電子機器のカメラをオンにするための第１の標識をトリガーすることを検出する場合、第１の標識をトリガーするコマンドを抽出し、電子機器のユーザーがブラウザーを介して検索結果の電子機器のマイクロフォンをオンにするための第２の標識をトリガーすることを検出する場合、第２の標識をトリガーするコマンドを抽出する。
【００４５】
ステップＳ１２：予め設定された規則に基づいて、インタラクティブコマンドにマッチングするインタラクションガイドステップを生成する。
【００４６】
本実施形態において、予め設定された規則は、これに限定されないが、電子機器のデータベースに予め配置されてもよいが、サーバ側に配置されてもよい。
【００４７】
例えば、インタラクティブコマンドが電子機器のカメラをオンにするための第１の標識をトリガーするコマンドを含む場合、予め設定された規則に基づいて、電子機器のカメラをオンにするための第１の標識をトリガーするコマンドにマッチングするインタラクションガイドステップを生成して、ユーザーにプロンプトする。
【００４８】
又は、インタラクティブコマンドが電子機器のマイクロフォンをオンにするための第２の標識をトリガーするコマンドを含む場合、予め設定された規則に基づいて、電子機器のマイクロフォンをオンにするための第２の標識をトリガーするコマンドにマッチングするインタラクションガイドステップを生成して、ユーザーにプロンプトする。
【００４９】
ステップＳ１３：ユーザーがインタラクションガイドステップに基づいて、検索結果とインタラクションを行うように、インタラクションガイドステップに基づいて、ユーザーにプロンプトする。
【００５０】
好ましくは、ユーザーがインタラクションガイドステップに基づいて、検索結果とインタラクションを行うように、インタラクションガイドステップに基づいて、ユーザーにプロンプトする。
【００５１】
一例として、図３に示されるように、予め設定された規則に基づいて、電子機器のカメラ３３をオンにするための第１の標識をトリガーするコマンドにマッチングするインタラクションガイドステップを生成し、ユーザーがインタラクションガイドステップに基づいて、モデル表示領域３５における実在のモデルを設置するように、ガイドステップに基づいてユーザーにプロンプトする。例えば、ユーザーがカメラ３３によりユーザーの画像データを収集する場合、ユーザーは、検索ページの左側の「レディースファッション」の検索結果３２における画像をクリックして、実在のモデルの体にドラッグすることにより、ユーザーが画像データに基づいて、検索結果３２におけるレディースファッションを試着するようにし、ユーザーの没入型及びシーン化の体験を向上させることができる。
【００５２】
一例として、図３に示されるように、予め設定された規則に基づいて、電子機器のマイクロフォン３４をオンにするための第２の標識をトリガーするコマンドにマッチングするインタラクションガイドステップを生成して、ユーザーがインタラクションガイドステップに基づいて、モデル表示領域３５における３Ｄモデルを設置するように、ガイドステップに基づいてユーザーにプロンプトする。これに限定されないが、例えば、ユーザーが自分の画像データを収集しにくい場合、ユーザーが音声データに基づいて、検索結果３５における実在のモデルを配置して、試着及び着替えを実現するように、マイクロフォン３４により自分の体型を説明する音声データを入力することができ、又は、ユーザーが必要な服装をスマート検索して、迅速かつ便利に試着及び着替えを実現するように、ユーザーがマイクロフォン３４により音声データを入力することができるため、ユーザーに音声検索機能を提供することができる。
【００５３】
本実施形態において、インタラクションガイドステップに基づいて、ユーザーにプロンプトすることにより、ユーザーがインタラクションガイドステップに基づいて、リッチメディアである検索結果とインタラクションを行うようにし、ユーザーとリッチメディアである検索結果との多様化のインタラクションを実現し、ユーザーの没入型及びシーン化の体験を効果的に向上させることができる。
【００５４】
図５は、本発明の他の実施形態において提供される検索結果用インタラクティブ方法の概略フローチャートである。本実施形態は、検索結果用インタラクティブ方法が検索結果用インタラクティブ装置に配置されることを一例として説明する。
【００５５】
図５に示されるように、検索結果用インタラクティブ方法は、以下のステップを含む。
【００５６】
ステップＳ５１：電子機器のユーザーがブラウザーを介して検索結果の予め設定された標識をトリガーすることを検出する場合、ユーザーがブラウザーを介して検索結果のインタラクティブ操作を行っていると判定する。
【００５７】
好ましくは、ユーザーが検索エンジン（例えば、バイドゥ検索エンジン）の検索ボックスに検索語を入力してもよい。
【００５８】
例えば、ユーザーは、電子機器における検索エンジンの検索ボックスに検索語を入力して、検索語に対応するリッチメディアである検索結果を取得することができる。電子機器のユーザーがブラウザーを介して検索結果の電子機器のカメラをオンにするための第１の標識をトリガーすることを検出する場合、ユーザーがブラウザーを介して検索結果のインタラクティブ操作を行っていると判定し、カメラによりユーザーの画像データを収集し、画像データを検索結果ページに表示する。この場合、ユーザーがブラウザーを介して検索結果のインタラクティブ操作を行っていると判定して、カメラによりユーザーの画像データを収集し、画像データを検索結果ページに表示し、画像データに基づいて、ユーザーがリッチメディアである検索結果とインタラクションを行うようにし、ユーザー体験を向上させることができる。
【００５９】
一例として、本発明の一実施形態の検索結果ページの概略図である図３に示されるように、図３には、検索結果ページが、検索ボックス３１と、検索結果３２と、カメラ３３と、マイクロフォン３４と、モデル表示領域３５とを備え、ユーザーがバイドゥの検索ボックス３１に入力した検索語が「レディースファッション」である場合、検索ページの左側が相応に「レディースファッション」の検索結果３２を表示し、ユーザーが電子機器のカメラ３３をオンにする第１の標識をトリガーする場合、カメラ３３によりユーザーの画像データを収集し、検索結果ページのモデル表示領域３５の実在のモデルに画像データを表示する。例えば、図４に示されるように、ユーザーがカメラ４１によりユーザーの画像データを収集する場合、検索ページの右側のモデル表示領域４２が相応にユーザーの画像データを表示し、ユーザーは、画像データに基づいて、リッチメディアである検索結果とインタラクションを行うことができ、これに限定されないが、例えば、画像データに基づいて、検索結果３２におけるレディースファッションを試着する。
【００６０】
又は、ユーザーは、電子機器における検索エンジンの検索ボックスに検索語を入力して、検索語に対応する検索結果を取得することができ、電子機器のユーザーがブラウザーを介して検索結果の電子機器のマイクロフォンをオンにするための第２の標識をトリガーすることを検出する場合、ユーザーがブラウザーを介して検索結果のインタラクティブ操作を行っていると判定し、マイクロフォンによりユーザーの音声データを収集する。この場合、ユーザーがブラウザーを介して検索結果のインタラクティブ操作を行っていると判定して、マイクロフォンによりユーザーの音声データを収集し、ユーザーが音声データに基づいて、リッチメディアである検索結果とインタラクションを行うようにし、ユーザー体験を向上させることができる。
【００６１】
一例として、図３に示されるように、ユーザーが電子機器のマイクロフォン３４をオンにするための第２の標識をトリガーする場合、マイクロフォン３４によりユーザーの音声データを収集し、ユーザーの音声データに基づいて、検索結果ページのモデル表示領域３５における実在のモデルを配置し、ユーザーは、音声データに基づいて、リッチメディアである検索結果とインタラクションを行うことができ、これに限定されないが、例えば、音声データに基づいて、検索結果３５における実在のモデルを配置する。
【００６２】
ステップＳ５２：電子機器のユーザーがブラウザーを介して検索結果のインタラクティブ操作を行っていると判定した場合、インタラクティブ操作に基づいて、インタラクティブコマンドを抽出する。
【００６３】
好ましくは、電子機器のユーザーがブラウザーを介して検索結果の電子機器のカメラをオンにするための第１の標識をトリガーすることを検出する場合、第１の標識をトリガーするコマンドを抽出し、電子機器のユーザーがブラウザーを介して検索結果の電子機器のマイクロフォンをオンにするための第２の標識をトリガーすることを検出する場合、第２の標識をトリガーするコマンドを抽出する。
【００６４】
ステップＳ５３：予め設定された規則に基づいて、インタラクティブコマンドにマッチングするインタラクションガイドステップを生成する。
【００６５】
本実施形態において、予め設定された規則は、これに限定されないが、予め電子機器のデータベースに配置されてもよいし、サーバ側に配置されてもよい。
【００６６】
例えば、インタラクティブコマンドが電子機器のカメラをオンにするための第１の標識をトリガーするコマンドを含む場合、予め設定された規則に基づいて、電子機器のカメラをオンにするための第１の標識をトリガーするコマンドにマッチングするインタラクションガイドステップを生成して、ユーザーにプロンプトする。
【００６７】
又は、インタラクティブコマンドが電子機器のマイクロフォンをオンにするための第２の標識をトリガーするコマンドを含む場合、予め設定された規則に基づいて、電子機器のマイクロフォンをオンにするための第２の標識をトリガーするコマンドにマッチングするインタラクションガイドステップを生成して、ユーザーにプロンプトする。
【００６８】
ステップＳ５４：ユーザーが検索結果ページにインタラクションガイドステップをトリガーするコマンドを受信する。
【００６９】
好ましくは、ブラウザーは、ユーザーがリッチメディアである検索結果ページにインタラクションガイドステップをトリガーするコマンドを受信して、インタラクションガイドステップのコマンドに従って、インタラクションガイドステップを実行する。
【００７０】
ステップＳ５５：インタラクションガイドステップをトリガーするコマンドに従って、インタラクションガイドステップを実行する。
【００７１】
好ましくは、ユーザーがインタラクションガイドステップに基づいて、リッチメディアである検索結果とインタラクションを行うように、インタラクションガイドステップをトリガーするコマンドに従って、インタラクションガイドステップを実行する。
【００７２】
ステップＳ５６：ユーザーがインタラクションガイドステップに基づいて、検索結果とインタラクションを行うように、インタラクションガイドステップに基づいて、ユーザーにプロンプトする。
【００７３】
好ましくは、ユーザーがインタラクションガイドステップに基づいて、検索結果とインタラクションを行うように、インタラクションガイドステップに基づいて、ユーザーにプロンプトする。
【００７４】
一例として、図３に示されるように、予め設定された規則に基づいて、電子機器のカメラ３３をオンにするための第１の標識をトリガーするコマンドにマッチングするインタラクションガイドステップを生成し、ユーザーがインタラクションガイドステップに基づいて、モデル表示領域３５における実在のモデルを設置するように、ガイドステップに基づいてユーザーにプロンプトする。例えば、ユーザーがカメラ３３によりユーザーの画像データを収集する場合、ユーザーは、検索ページの左側の「レディースファッション」の検索結果３２における画像をクリックして、実在のモデルの体にドラッグすることにより、ユーザーが画像データに基づいて、検索結果３２におけるレディースファッションを試着するようにし、ユーザーの没入型及びシーン化の体験を向上させることができる。
【００７５】
一例として、図３に示されるように、予め設定された規則に基づいて、電子機器のマイクロフォン３４をオンにするための第２の標識をトリガーするコマンドにマッチングするインタラクションガイドステップを生成して、ユーザーがインタラクションガイドステップに基づいて、モデル表示領域３５における３Ｄモデルを設置するように、ガイドステップに基づいてユーザーにプロンプトする。これに限定されないが、例えば、ユーザーが自分の画像データを収集しにくい場合、ユーザーが音声データに基づいて、検索結果３５における実在のモデルを配置して、試着及び着替えを実現するように、マイクロフォン３４により自分の体型を説明する音声データを入力するができ、又は、ユーザーが必要な服装をスマート検索して、迅速かつ便利に試着及び着替えを実現するように、ユーザーがマイクロフォン３４を介して音声データを入力することができるため、ユーザーに音声検索機能を提供することができる。
【００７６】
ステップＳ５７：ユーザーが入力した検索結果の配置情報を受信し、配置情報に基づいて検索結果を配置する。
【００７７】
これに限定されないが、例えば、ユーザーは、タッチや、スライド、ズームなどの動作により、電子機器における検索結果ページの情報に影響を与え、又は変更することができ、或いは、ユーザーは、新たな画像又はオーディオ情報を入力して、電子機器における検索結果ページに表示されるコンテンツ情報を変更することができる。
【００７８】
本実施形態において、インタラクションガイドステップに基づいて、ユーザーにプロンプトすることにより、ユーザーがインタラクションガイドステップに基づいて、リッチメディアである検索結果とインタラクションを行うようにし、ユーザーとリッチメディアである検索結果との多様化のインタラクションを実現し、ユーザーの没入型及びシーン化の体験を効果的に向上させることができ、ユーザーが入力した検索結果の配置情報を受信し、配置情報に基づいて、検索結果を配置することにより、ユーザーがパーソナライズド検索情報を取得するようにし、ユーザーの使用体験を効果的に向上させることができる。
【００７９】
図６は、本発明の他の一実施形態において提供される検索結果用インタラクティブ方法の概略フローチャートである。本実施形態は、検索結果用インタラクティブ方法が検索結果用インタラクティブ装置に配置されることを一例として説明する。
【００８０】
図６に示されるように、検索結果用インタラクティブ方法は、以下のステップを含む。
【００８１】
ステップＳ６１：電子機器のユーザーがブラウザーを介して検索結果のインタラクティブ操作を行っていると判定した場合、インタラクティブ操作に基づいてインタラクティブコマンドを抽出する。
【００８２】
インタラクティブ操作は、これに限定されないが、例えば、検索結果の位置を決定したり、検索結果のスペースにおいて移動したり、検索結果に対してタッチや、スワイプ、ズームなどの操作を行ったりすることであってもよい。
【００８３】
一例として、図７に示されるように、図７は、スワイプ方向標識７１を有し、ユーザーがリッチメディアである検索結果におけるスワイプ方向標識７１をタッチする場合、車種を３６０°回転して閲覧することを実現し、その場に身を置いているかのような臨場体験を取得することができる。
【００８４】
一例として、図８に示されるように、図８は、ズーム標識８１を有し、ユーザーがリッチメディアである検索結果におけるズーム標識８１をタッチする場合、自分が注目する工程材質をじっくり観察し、顧客への製品サービスの情報を全面的に取得することができる。
【００８５】
ステップＳ６２：インタラクティブコマンドにマッチングする検索結果の関連データを読み取り、関連データをユーザーにプロンプトする。
【００８６】
好ましくは、インタラクティブコマンドにマッチングする検索結果の関連データを読み取り、関連データをユーザーにプロンプトして、検索エンジンからリッチメディアである検索結果の関連データを自動的にマイニングし、ユーザーが必要な情報を最大限に取得するようにし、ユーザー体験を向上させる。
【００８７】
一例として、図９に示されるように、図９は、検索ボックス９１と、検索結果９２とを有し、ユーザーが検索エンジンの検索ボックス９１に入力した検索語が「ベンツｇｌｃ」である場合、検索ページは、相応に「ベンツｇｌｃ」の検索結果９２を表示する。この場合、ベンツｇｌｃの車種に関連するデータしかない。図１０に示されるように、図１０は、ベンツｇｌｃの塗装工程１０１及びインテリア１０２を有し、ユーザーがベンツｇｌｃのインテリア１０２をクリックする場合、図１１に示されるように、図１１は、レザーステアリング１１１と、高精細度の電子スクリーン１１２とを有し、ブラウザーは、対応するレザーステアリング１１１や、高精細度の電子スクリーン１１２などの関連データをユーザーにプロンプトする。
【００８８】
一例として、図１２に示されるように、図１２は、検索ボックス１２１と、検索結果１２２と、キッチン方向標識１２３と、ベッドルーム方向標識１２４とを有し、ユーザーが検索エンジンの検索ボックス１２１に入力した検索語が「リフォーム」である場合、検索ページは、相応に「リフォーム」の検索結果１２２を表示し、この場合、リビングルームに関連するリフォームデータしかない。ユーザーが図１２におけるベッドルーム方向標識１２４をタッチする場合、図１３に示されるように、図１３は、リビングルーム方向標識１３１を有し、ユーザーは、ベッドルームのリフォームデータを閲覧することができ、当然のことながら、これに限定されないが、ユーザーは、図１３におけるリビングルーム方向標識１３１をタッチして再び図１２に示すようなリビングルームに戻ってもよい。
【００８９】
本実施形態において、インタラクティブコマンドにマッチングするリッチメディアである検索結果の関連データをユーザーにプロンプトすることにより、ユーザーとリッチメディアである検索結果との多様化のインタラクションを実現し、ユーザーの没入型及びシーン化の体験を効果的に向上させることができる。
【００９０】
図１４は、本発明の他の一実施形態において提供される検索結果用インタラクティブ方法の概略フローチャートである。本実施形態は、検索結果用インタラクティブ方法が検索結果用インタラクティブ装置に配置されることを一例として説明する。
【００９１】
ステップＳ１４１：電子機器のユーザーがブラウザーを介して検索結果のインタラクティブ操作を行っていると判定した場合、インタラクティブ操作に基づいて、インタラクティブコマンドを抽出する。
【００９２】
インタラクティブ操作は、これに限定されないが、例えば、検索結果の位置を決定したり、検索結果のスペースにおいて移動したり、検索結果に対してタッチや、スワイプ、ズームなどの操作を行ったりすることであってもよい。
【００９３】
一例として、図７に示されるように、図７は、スワイプ方向標識７１を有し、ユーザーがリッチメディアである検索結果におけるスワイプ方向標識７１をタッチする場合、車種を３６０°回転して閲覧することを実現し、ユーザーの没入型及びシーン化の体験を効果的に向上させることができる。
【００９４】
一例として、図８に示されるように、図８は、ズーム標識８１を有し、ユーザーがリッチメディアである検索結果におけるズーム標識８１をタッチする場合、自分の注目する工程材質をじっくり観察し、顧客への製品サービスの情報を全面的に取得することができる。
【００９５】
ステップＳ１４２：検索結果ページに検索結果の関連データを表示しない。
【００９６】
例えば、図９に示されるように、図９は、検索ボックス９１と、検索結果９２とを有し、ユーザーが検索エンジンの検索ボックス９１に入力した検索語が「ベンツｇｌｃ」である場合、検索ページは、相応に「ベンツｇｌｃ」の検索結果９２を表示し、この場合、ベンツｇｌｃの車種に関連する画像データしかない。ユーザーがなんの操作もしない場合、検索結果ページに検索結果の関連データを表示しない。
【００９７】
ステップＳ１４３：インタラクティブコマンドにマッチングする検索結果の関連データを読み取り、関連データをユーザーにプロンプトする。
【００９８】
一例として、図９に示されるように、図９は、検索ボックス９１と、検索結果９２とを有し、ユーザーが検索エンジンの検索ボックス９１に入力した検索語が「ベンツｇｌｃ」である場合、検索ページは、相応に「ベンツｇｌｃ」の検索結果９２を表示する。この場合、ベンツｇｌｃの車種に関連するデータしかない。図１０に示されるように、図１０は、ベンツｇｌｃの塗装工程１０１及びインテリア１０２を有し、ユーザーがベンツｇｌｃのインテリア１０２をクリックする場合、図１１に示されるように、図１１は、レザーステアリング１１１と、高精細度の電子スクリーン１１２とを有し、ブラウザーは、対応するレザーステアリング１１１や、高精細度の電子スクリーン１１２などの関連データをユーザーにプロンプトする。
【００９９】
一例として、図１２に示されるように、図１２は、検索ボックス１２１と、検索結果１２２と、キッチン方向標識１２３と、ベッドルーム方向標識１２４とを有し、ユーザーが検索エンジンの検索ボックス１２１に入力した検索語が「リフォーム」である場合、検索ページは、相応に「リフォーム」の検索結果１２２を表示し、この場合、リビングルームに関連するリフォームデータしかない。ユーザーが図１２におけるベッドルーム方向標識１２４をタッチする場合、図１３に示されるように、図１３は、リビングルーム方向標識１３１を有し、ユーザーは、ベッドルームのリフォームデータを閲覧することができ、当然のことながら、これに限定されないが、ユーザーは、図１３におけるリビングルーム方向標識１３１をタッチして再び図１２に示すようなリビングルームに戻ってもよい。
【０１００】
ステップＳ１４４：ユーザーが入力した検索結果の配置情報を受信し、配置情報に基づいて、検索結果を配置する。
【０１０１】
好ましくは、電子機器のブラウザーは、ユーザーが入力した検索結果の配置情報を受信し、配置情報に基づいて、検索結果を配置することができ、ユーザーがパーソナライズド検索情報を取得するようにし、ユーザーの使用体験を効果的に向上させることができる。
【０１０２】
一例として、図１５に示されるように、図１５は、ドラッグ方向標識１５１と、ティーテーブル１５２と、腰掛１５３とを有し、ユーザーは、リビングルームに対するリフォームが何らかの家具が欠けていると感じるとき、自分のニーズに応じてリッチメディアである検索結果を配置することができ、例えば、リビングルームのティーテーブル１５２の周りに腰掛１５３がない場合、ユーザーは、リッチメディアである検索結果ページの右側にある各種の腰掛１５３を閲覧し、自分の好きな腰掛をクリックして、ティーテーブルの傍らにドラッグすることができる。
【０１０３】
本実施形態において、インタラクティブコマンドにマッチングするリッチメディアである検索結果の関連データをユーザーにプロンプトすることにより、ユーザーとリッチメディアである検索結果との多様化のインタラクションを実現し、ユーザーの没入型及びシーン化の体験を効果的に向上させることができる。ユーザーが入力した検索結果の配置情報を受信し、配置情報に基づいて、検索結果を配置することにより、ユーザーがパーソナライズド検索情報を取得するようにし、ユーザーの使用体験を効果的に向上させることができる。
【０１０４】
図１６は、本発明の一実施形態において提供される検索結果用インタラクティブ装置の構造概略図である。検索結果用インタラクティブ装置１６０は、ソフトウェア、ハードウェア又は両者の組み合わせによって実現することができ、検索結果用インタラクティブ装置１６０は、第１の抽出モジュール１６１と、生成モジュール１６２と、プロンプトモジュール１６３とを備える。
【０１０５】
第１の抽出モジュール１６１は、電子機器のユーザーがブラウザーを介して検索結果のインタラクティブ操作を行っていると判定した場合、インタラクティブ操作に基づいて、インタラクティブコマンドを抽出するように構成されている。
【０１０６】
生成モジュール１６２は、予め設定された規則に基づいて、インタラクティブコマンドにマッチングするインタラクションガイドステップを生成するように構成されている。
【０１０７】
プロンプトモジュール１６３は、ユーザがインタラクションガイドステップに基づいて、検索結果とインタラクションを行うように、インタラクションガイドステップに基づいて、ユーザーをプロンプトするように構成されている。
【０１０８】
一部の変形例として、図１７に示されるように、検索結果用インタラクティブ装置１６０は、以下のモジュールをさらに備えていてもよい。
【０１０９】
好ましくは、電子機器のユーザーがブラウザーを介して検索結果の予め設定された標識をトリガーすることを検出する場合、ユーザーがブラウザーを介して検索結果のインタラクティブ操作を行っていると判定するように構成されている第１の抽出モジュール１６１を備える。
【０１１０】
好ましくは、予め設定された標識は、電子機器のカメラをオンにするための第１の標識と、電子機器のマイクロフォンをオンにするための第２の標識とを有する。
【０１１１】
インタラクティブコマンドが、第１の標識をトリガーするコマンドを含む場合、カメラによりユーザーの画像データを収集し、画像データを検索結果ページに表示し、インタラクティブコマンドが、第１の標識をトリガーするコマンドを含む場合、カメラによりユーザーの画像データを収集し、画像データを検索結果ページに表示する収集モジュール１６４を備えていてもよい。
【０１１２】
ユーザーが検索結果ページにインタラクションガイドステップをトリガーするコマンドを受信する第１の受信モジュール１６５を備えていてもよい。
【０１１３】
ユーザーがインタラクションガイドステップに基づいて、検索結果とインタラクションを行うように、インタラクションガイドステップをトリガーするコマンドに基づいて、インタラクションガイドステップを実行する実行モジュール１６６を備えていてもよい。
【０１１４】
ユーザーが入力した検索結果の配置情報を受信し、配置情報に基づいて、検索結果を配置する第２の受信モジュール１６７を備えていてもよい。
【０１１５】
なお、上記図１から図５の実施形態において、検索結果用インタラクティブ方法についての解釈及び説明は、検索結果用インタラクティブ装置１６０にも適用され、その実現の原理が類似するため、ここでは詳しく説明しない。
【０１１６】
本実施形態において、インタラクションガイドステップに基づいて、ユーザーにプロンプトすることにより、ユーザーがインタラクションガイドステップに基づいて、リッチメディアである検索結果とインタラクションを行うようにし、ユーザーとリッチメディアである検索結果との多様化のインタラクションを実現し、ユーザーの没入型及びシーン化の体験を効果的に向上させることができる。
【０１１７】
図１８は、本発明の他の一実施形態において提供される検索結果用インタラクティブ装置の構造概略図である。検索結果用インタラクティブ装置１８０は、ソフトウェア、ハードウェア又は両者の組み合わせによって実現することができ、検索結果用インタラクティブ装置１８０は、第２の抽出モジュール１８１と、読み取りモジュール１８２とを備える。
【０１１８】
第２の抽出モジュール１８１は、電子機器のユーザーがブラウザーを介して検索結果のインタラクティブ操作を行っていると判定した場合、インタラクティブ操作に基づいて、インタラクティブコマンドを抽出するように構成されている。
【０１１９】
読み取りモジュール１８２は、インタラクティブコマンドにマッチングする検索結果の関連データを読み取り、関連データをユーザーにプロンプトするように構成されている。
【０１２０】
一部の変形例において、図１９に示されるように、検索結果用インタラクティブ装置１８０は、インタラクティブコマンドにマッチングする検索結果の関連データを読み取る前に、検索結果ページに検索結果の関連データを表示しないように構成される表示モジュール１８３と、ユーザーが入力した検索結果の配置情報を受信し、配置情報に基づいて、検索結果を配置するように構成される第３の受信モジュール１８４とをさらに備えていてもよい。
【０１２１】
なお、上記図６から図１５の実施形態において、検索結果用インタラクティブ方法についての解釈及び説明は、検索結果用インタラクティブ装置１８０にも適用され、その実現の原理が類似するため、ここでは詳しく説明しない。
【０１２２】
本実施形態において、インタラクティブコマンドにマッチングするリッチメディアである検索結果の関連データをユーザーにプロンプトすることにより、ユーザーとリッチメディアである検索結果との多様化のインタラクションを実現し、ユーザーの没入型及びシーン化の体験を効果的に向上させることができる。
【０１２３】
上記実施形態の方法における全て又は一部の工程の実現は、コンピュータプログラムが関連のハードウェアをコマンドすることによって完成され、プログラムは、コンピュータ読み取り可能な記憶媒体に記憶され、プログラムが実行される場合、上記のような各方法の実施形態の工程を含むことができる。記憶媒体は、磁気ディスクや、光ディスク、リードオンリーメモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）などであってもよいことは、当業者なら理解することができる。
【０１２４】
以上は、単なる本発明の具体的な実施形態に過ぎず、本発明の保護範囲は、これに限定されるものではなく、本発明により開示される技術の範囲内において、当業者であれば容易に想到できる変形又は置換は、いずれも本発明の保護範囲内に属すべきである。したがって、本発明の保護範囲は、請求項の保護範囲に準ずるべきである。
【図１】
2019516182.tif 000003
【図２】
2019516182.tif 000004
【図３】
2019516182.tif 000005
【図４】
2019516182.tif 000006
【図５】
2019516182.tif 000007
【図６】
2019516182.tif 000008
【図７】
2019516182.tif 000009
【図８】
2019516182.tif 000010
【図９】
2019516182.tif 000011
【図１０】
2019516182.tif 000012
【図１１】
2019516182.tif 000013
【図１２】
2019516182.tif 000014
【図１３】
2019516182.tif 000015
【図１４】
2019516182.tif 000016
【図１５】
2019516182.tif 000017
【図１６】
2019516182.tif 000018
【図１７】
2019516182.tif 000019
【図１８】
2019516182.tif 000020
【図１９】
2019516182.tif 000021
【国際調査報告】
2019516182.tif 000022
2019516182.tif 000023
2019516182.tif 000024
2019516182.tif 000025